(57)【要約】【解決手段】内部スペースを画定するハウジングであって、その内部スペースを別々のチャンバーに分割するディバイダを含むハウジングを備える航空機ギャレー用の冷却装置を開示する。チャンバーは、ユーザーのチャンバーへのアクセスを可能にする、ハウジングの正面にある一対のドアによって囲まれ、第１のドアは少なくとも一つのチャンバーへのアクセスを可能にし、第２のドアは少なくとも一つの他のチャンバーへのアクセスを可能にする。側面ドアもまた、少なくとも一つのチャンバーへのアクセスを可能にし、少なくとも一つのチャンバーは前記側面ドアからアクセス不可能である。【選択図】図１
2015515599.tif 000002
【特許請求の範囲】
【請求項１】
内部スペースを画定するハウジングであって、前記内部スペースを別々のチャンバーに分割するディバイダを含む前記ハウジングと、
チャンバーへのアクセスを可能にする前記ハウジングの正面の一対のドアであって、少なくとも一つのチャンバーへのアクセスを可能にする第１のドアおよび少なくとも一つの他のチャンバーへのアクセスを可能にする第２のドアと、
各チャンバー内の温度を制御する一組の温度制御装置と、
少なくとも一つのチャンバーへのアクセスを可能にする側面ドアであって、少なくとも一つのチャンバーは前記側面ドアを介してアクセス不可能である側面ドアと、
を備える航空機ギャレー用の冷却装置。
【請求項２】
計３つのチャンバーがある請求項１に記載の航空機ギャレー用の冷却装置。
【請求項３】
前記一組の温度制御装置は、各チャンバーを異なる温度に設定する請求項１に記載の航空機ギャレー用の冷却装置。
【請求項４】
前記冷却装置の背面にウィンドウをさらに備える請求項１に記載の航空機用の冷却装置。
【請求項５】
前記チャンバーの少なくとも一つへの前記ウィンドウを介したアクセスを可能にするドアをさらに備える請求項４に記載の航空機用の冷却装置。
【請求項６】
少なくとも一つの前記チャンバー内で、チャンバー内にサブスペースを作り出す可動棚をさらに備える請求項１に記載の航空機用の冷却装置。
【請求項７】
フレンチドアのように外側に向かって開く一対の開き戸を備える請求項１に記載の航空機用の冷却装置。
【請求項８】
前記ドアの少なくとも一つがロックを含む請求項１に記載の航空機用の冷却装置。
【請求項９】
前記チャンバーの少なくとも一つは氷点下になることが可能である請求項１に記載の航空機用の冷却装置。
【請求項１０】
前記側面ドアが引き戸である請求項１に記載の航空機用の冷却装置。
【発明の詳細な説明】
【技術分野】
【０００１】
この出願は、２０１２年４月１３日に出願された米国仮出願第６１／６２３，９６７号、および２０１３年４月９日に出願された米国非仮出願第１３／８５９，５９０号の優先権を要求し、その全体が参照により援用される。
【背景技術】
【０００２】
民間航空機は通常、一般的にギャレーと呼ばれる、食事や飲料を準備するエリアを完備している。航空機のギャレーは、生鮮食品の腐敗を防ぐ設備のほか、食事を温める設備、飲料を冷やす設備、清掃設備、ゴミ処理設備、などを備えている。
【発明の概要】
【発明が解決しようとする課題】
【０００３】
航空機のギャレーで中核をなすものの一つが、冷蔵庫または冷却装置であると言われている。冷蔵ユニットは、ギャレーにおいて最も重く、最も使用頻度の高い設備の一つなので、他の全ての設備に対し戦略的に配置される。特に航空機ギャレーの狭い場所においては、冷却装置は、他の設備を妨げずに容易にアクセス可能でなければならない。また、現在の航空機冷却装置は、たとえばアイスクリーム、飲料、サラダなどすべて異なる温度で保存されることが好ましいものを冷蔵するための、複数のゾーンを備えることができない。本発明は、従来の航空機ギャレー冷却装置のこれらの欠点に対処する。
【課題を解決するための手段】
【０００４】
航空機ギャレー冷却装置は、正面、側面、さらには背面や天井面などのドアやウィンドウからのアクセスを含む、複数のアクセス開口部を備える。本発明の冷却装置はまた、好ましくは、同一の冷却装置内で様々なアイテムを異なる温度で収容できるマルチゾーン冷却を備える。例えば、冷却装置の前面は氷および／またはアイスクリーム用に−１５℃に冷やされた区画を備えることが可能であり、側部はソフトドリンクや白ワイン用に８℃に冷却することができる。その他の温度や場所も同様に利用可能なことは明らかである。区画は、側面ドアからは高級品や滅多に注文のない品などの特定のアイテムへのアクセスのみ許可する、などのように分割することができる。さらに、メインギャレーの正面ドア（複数可）からのアクセスを乗務員のアクセスに限定し、より規制される品を格納してもよい。冷却装置の背面にも、ドアや横開きのパネルなどを通ってアクセス可能である。すべてのアクセスポイントにおいて、開き戸や横開きのパネルなど、様々な様式を用いることができる。また、冷却装置のレイアウトによっては、それぞれの面に複数のドアを設置することも可能である。
【０００５】
本発明の他の特徴および利点は、本発明の動作を一例として図解する添付の図面とともに以下の好適な実施形態の詳細な説明を参照することで明らかになるだろう。
【図面の簡単な説明】
【０００６】
【図１】図１は、本発明の第１実施形態の立面斜視図である。
【図２】図２は、図１の実施形態の正面斜視図である。
【図３】図３は、ドアが開いた状態での図１の実施形態の別の斜視図である。
【図４】図４は、図１の実施形態の側面図である。
【発明を実施するための形態】
【０００７】
図１は、本発明の冷却装置１０の斜視図を示す。冷却装置１０は、航空機ギャレー１３の一部である作業スペース１１上にある。ギャレー１３は、オーブン、飲料を淹れる装置、ゴミ圧縮機、照明、飲料用カート積み込み区画などの他の設備や、その他の様々な、食事や飲料を用意し乗客に提供するための装置や設備を備えてもよい。冷却装置１０は、飛行中に飲料や生鮮食品を冷えたままにするために使用され、好ましくは、冷却装置の内部チャンバー内のそれぞれの温度を変更するマルチゾーン温度制御装置５５を含む。一組の制御装置５５は、様々なチャンバーの温度を制御するために、冷却装置の上部パネル１５上に設けられる。冷却装置は、好ましくは、三つの分離したチャンバー、つまり、左側の床から天井までの高さのチャンバー１２、右側の大きな正方形のチャンバー１４、そして正方形チャンバー１４の上のより小さな上部チャンバー１６、に分割された内部を持つ。もちろん、本発明の範囲内には他の様々な構造や形状があり、冷却装置は、いかなる特定の方法でも特定の形状や配置に限定されるものではない。図１に示すように、冷却装置１０は、側面パネル２０から引き戸２２を用いて、隣接したチャンバー、この場合床から天井までのチャンバー１２、にアクセスできる側面開口部１８を備える。同様の引き戸を、右のチャンバーにアクセスするために右側に設置したり、その他のチャンバーにアクセスするために冷却装置の背面に設置したりすることができる。
【０００８】
図２は、冷却装置１０の正面図であり、開き戸２４が床から天井までのチャンバー１２を開閉している状態および第２の開き戸２６が正方形チャンバー１４および上部チャンバー１６を開閉している状態を示す。第２の開き戸２６は握りやすい持ち手２８を備え、二枚のドア２４および２６は、本例では幅が違うので弧は異なるが、好ましくはフレンチドアのように観音開きになる。他の様式のドアや形状のドアも、図２に示されているものに代わって用いられる。
【０００９】
図３は、図１および図２の冷却装置１０の、チャンバーが見えるようにまた左手の側面ドア２２を介してのアクセスを表すために、ドア２４および２６を開いた状態を示す。ここで留意すべきは、いずれの正面ドアにも、高級品に対するセキュリティを維持するためロックが備え付けられている（図示せず）ことである。冷却装置１０は、好ましくは、冷却装置の側壁上のレールか溝に、様々な大きさの物品のためのサブスペースを作り出す可動棚４４が設置される。また、ウィンドウ／ドア３０は、チャンバーへのさらなるアクセスのためや、消耗品の在庫の状況をウィンドウから見ることが可能な場合に、冷却装置の背面壁３２に設置することが可能である。
【００１０】
図４は、冷却装置１０の側面図であり、引き戸２２およびアクセス開口部／ウィンドウ１８を示す。このアクセスウィンドウ１８および引き戸２２によって、乗客は航空機の通路から冷却装置１０にアクセスできるので、ギャレーそのものまたは冷却装置１０内の特定のチャンバーへの乗客のアクセスを許可することなく特定の品をセルフサービスとすることができる。乗客がソフトドリンクや他のセルフサービスの品は入手できるが、ワインやビール、その他の高価な品や規制品の貯蔵などに使用しているその他のチャンバーにはアクセスできないように、ソフトドリンクや無料サービスの品は、引き戸２２と隣接しているチャンバー１２内の調整可能な棚に好適にストックすることができる。
【００１１】
本発明は航空機ギャレーで見られない様態を含んでいるが、長時間にわたるフライトや乗客の要求により答えたサービスの出現にともない、さらに大きく効率的な機内冷蔵スペースの要求は高まっている。本発明の冷却装置は、現在使用されていないサービスの選択肢を提供し、また航空各社はそのようなサービスを巡るブランドシステムを発展させることができる。本発明の冷却装置が提供するようなセルフサービスの飲料センターに惹かれる乗客は多数存在する。また、冷却装置は、チャンバーを様々な温度で冷却することで、異なる目的に応じることができる。たとえば、アイスクリームは室温を−１５℃にした上部チャンバー１６で貯蔵可能であり、同時に、他のチャンバーを、飲料を８℃で冷却するために用いることもできる。その他の温度によるチャンバーの組み合わせも同様に可能である。
【００１２】
本発明の特定の形態について図解し説明してきたが、本発明の趣旨および範囲から逸脱することなく様々な変形をなし得ることは明らかだろう。従って、添付の請求項によるものを除き、本発明を限定する意図はない。
【図１】
2015515599.tif 000003
【図２】
2015515599.tif 000004
【図３】
2015515599.tif 000005
【図４】
2015515599.tif 000006
【国際調査報告】
2015515599.tif 000007
2015515599.tif 000008
2015515599.tif 000009